(57)【特許請求の範囲】
【請求項１】
石製の墓本体を備え、該墓本体の下側に遺骨を収納する骨堂を設け、上記墓本体に、その前壁面に開口する入口を有し上記骨堂に連通する遺骨の投入通路を形成し、上記墓本体の前壁面に、前開口と上記投入通路の入口に対応した後開口とを有し物の収納空間が形成された石製の収納庫を付設し、該収納庫の前部に上記前開口を開閉する表扉を設け、上記収納庫の後部に上記後開口を開閉する納骨扉を設け、該納骨扉の前に上記後開口を開閉し閉時に上記納骨扉を覆って隠す隠し扉を設けたことを特徴とする墓。
【請求項２】
上記納骨扉を施錠具により施錠可能にし、上記隠し扉と上記納骨扉との間に上記施錠具の全部若しくは一部が収容可能な空所を設けたことを特徴とする請求項１記載の墓。
【請求項３】
上記空所を、上記隠し扉の後面と上記納骨扉の前面とを所要間隔離間させて形成したことを特徴とする請求項２記載の墓。
【請求項４】
上記空所を、上記隠し扉の後面側を切除して形成したことを特徴とする請求項２または３記載の墓。
【請求項５】
上記納骨扉及び隠し扉を、夫々引き戸で構成し、上記収納庫の後部に上記納骨扉及び隠し扉を開閉移動可能にガイドする溝状の敷居及び鴨居を形成したことを特徴とする請求項１乃至４何れかに記載の墓。
【請求項６】
上記納骨扉をガイドする敷居及び鴨居の該納骨扉の後面に接する面を上記墓本体の前壁面で構成したことを特徴とする請求項５記載の墓。
【請求項７】
上記納骨扉の前面に、文字，図形，模様，絵画，写真の少なくとも何れかを有した装飾を施したことを特徴とする請求項１乃至６何れかに記載の墓。
【発明の詳細な説明】
【技術分野】
【０００１】
本発明は、石製の墓本体の前に設けられ香炉等の物を入れる収納庫を備えた墓に係り、特に、収納庫の開口を開けて墓本体の下に設けた骨堂に納骨するようにした墓に関する。
【背景技術】
【０００２】
従来、この種の墓としては、例えば、特開２００６−３１６６０２号公報（特許文献１），特開２００６−２１４２５８号公報（特許文献２），実用新案登録第３０９４６４３号公報（特許文献３）等に掲載されたものが知られている。図９に示すように、この墓Ｈａは、石製の墓本体１００を備え、墓本体１００の下側に遺骨を収納する骨堂１０１を設け、墓本体１００に、その前壁面１０２に開口する入口１０３ａを有し骨堂１０１に連通する遺骨の投入通路１０３を形成し、墓本体１００の前壁面１０２に、前開口１０４と投入通路１０３の入口１０３ａに対応した後開口１０５とを有しローソクや香炉等の物の収納空間１０６が形成された石製の収納庫１０７を付設し、この収納庫１０７の前部に前開口１０４を開閉する表扉１０８を設け、収納庫１０７の後部に後開口１０５を開閉する納骨扉１０９を設けている。
【０００３】
この墓Ｈａにおいては、通常は、納骨扉１０９を閉め、収納庫１０７の収納空間１０６に、香炉，ローソクや線香等の物を収納し、表扉１０８を閉めておく。そして、墓参するときは、例えば、収納庫１０７の上や花立に花や供物等を供えるとともに、収納庫１０７の表扉１０８を開け、収納空間１０６から必要なものを取り出し、更に、収納空間１０６内でローソクに火を灯し、香炉で線香を焚き、表扉１０８を開けたままあるいは閉めた状態にする。これにより、線香の煙が収納庫１０７の収納空間１０６から外部に流れていき、周囲に線香の煙が漂う中で供養を行うことができる。また、納骨するときは、収納庫１０７の表扉１０８を開けるとともに納骨扉１０９を開け、投入通路１０３の入口１０３ａを開けて収納空間１０６を通してこの入口１０３ａから遺骨を投入し、投入通路１０３を通して骨堂１０１に遺骨を納め、その後、納骨扉１０９を閉める。
【先行技術文献】
【特許文献】
【０００４】
【特許文献１】特開２００６−３１６６０２号公報
【特許文献２】特開２００６−２１４２５８号公報
【特許文献３】実用新案登録第３０９４６４３号公報
【発明の概要】
【発明が解決しようとする課題】
【０００５】
ところで、上記従来の墓Ｈａにあっては、墓参の際には、納骨扉１０９を閉めた状態で、収納庫１０７の収納空間１０６内において、ローソクに火を灯し、香炉で線香を焚くので、収納空間１０６内に煙が充満し、そのため、納骨扉１０９の前面が汚れてしまい、見栄えが悪くなって、景観上好ましくないという問題があった。特に、納骨扉１０９は、納骨のための戸として特別の意味を持つことから、納骨扉１０９の前面に文字や絵などを彫刻やペイントにより装飾を施すことを行い、あるいは、納骨扉の材質を他と異ならせることなどを行うが、これらが汚くなってしまうと心情的にも好ましくないという問題がある。そのため、適時に清掃も行うが、収納空間１０６は狭いので作業がやりにくく、納骨扉１０９を綺麗に保ちにくい。
本発明は上記の問題点に鑑みて為されたもので、納骨や墓参の際に、収納庫内部を見ても、納骨扉の景観を損なわないようにした墓を提供することを目的とする。
【課題を解決するための手段】
【０００６】
上記の目的を達成するための本発明の墓は、石製の墓本体を備え、該墓本体の下側に遺骨を収納する骨堂を設け、上記墓本体に、その前壁面に開口する入口を有し上記骨堂に連通する遺骨の投入通路を形成し、上記墓本体の前壁面に、前開口と上記投入通路の入口に対応した後開口とを有し物の収納空間が形成された石製の収納庫を付設し、該収納庫の前部に上記前開口を開閉する表扉を設け、上記収納庫の後部に上記後開口を開閉する納骨扉を設け、該納骨扉の前に上記後開口を開閉し閉時に上記納骨扉を覆って隠す隠し扉を設けた構成としている。
【０００７】
この墓においては、通常は、納骨扉及び隠し扉を閉め、収納庫の収納空間に、香炉，ローソクや線香等の物を収納し、表扉を閉めておく。墓参するときは、例えば、収納庫の上や花立に花や供物等を供えるとともに、収納庫の表扉を開け、収納空間から必要なものを取り出し、更に、納骨扉及び隠し扉を閉めた状態で、収納空間内でローソクに火を灯し、香炉で線香を焚き、表扉を開けたままあるいは閉めた状態にする。これにより、線香の煙が収納庫の収納空間から外部に流れていき、周囲に線香の煙が漂う中で供養を行うことができる。この場合、収納庫の収納空間内において、ローソクに火を灯し、香炉で線香を焚くので、収納空間内に煙が充満し、そのため、隠し扉の前面が汚れてしまうが、納骨扉は隠し扉に覆われて隠されているので、汚れてしまう事態が防止される。
【０００８】
また、納骨するときは、収納庫の表扉を開けるとともに、先ず、隠し扉を開ける。これにより、納骨扉が閉じた状態でその前面が現れる。この場合、納骨扉は隠し扉に覆われて隠されて汚れが防止されていることから、綺麗さが保持されており、そのため、見栄えが良く、景観上好ましいものとなる。特に、納骨扉は、納骨のための戸として特別の意味を持つことから、納骨扉の前面に文字や絵などを彫刻やペイントにより装飾を施すことを行い、あるいは、納骨扉の材質を他と異ならせることなどを行うが、これらの綺麗さが保持されることから、心情的にも好ましいものとなる。次に、この納骨扉を開け、投入通路の入口を開けて収納空間を通してこの入口から遺骨を投入し、投入通路を通して骨堂に遺骨を納め、その後、納骨扉を閉める。この場合も、納骨扉の綺麗さが保持されていることから、心情的にも好ましいものとなる。
【０００９】
そして、必要に応じ、上記納骨扉を施錠具により施錠可能にし、上記隠し扉と上記納骨扉との間に上記施錠具の全部若しくは一部が収容可能な空所を設けた構成としている。施錠具により納骨扉を施錠できるので、遺骨を盗難やいたずらから防ぐことができる。また、隠し扉を閉めた状態では、施錠具は空所に収容されて隠されるので、それだけ、見栄えが良く、景観上好ましいものとなる。また、収納庫の収納空間内において、ローソクに火を灯し、香炉で線香を焚いた際、収納空間内に煙が充満するが、施錠具は隠し扉で覆われて隠されているので、この施錠具の汚れも防止することができる。
【００１０】
この場合、上記空所を、上記隠し扉の後面と上記納骨扉の前面とを所要間隔離間させて形成したことが有効である。空所を余裕を持って形成することができるとともに、隠し扉を納骨扉から離間させるだけでよいので、作製が容易になる。
【００１１】
また、上記空所を、上記隠し扉の後面側を切除して形成したことが有効である。隠し扉の後面と納骨扉の前面との間隔を互いに接するように狭くしても、施錠具を収容できるようになる。また、隠し扉と納骨扉の間隔を狭くすることができる分、収納庫の収納空間のスペースを確保することができる。
【００１２】
更に、必要に応じ、上記納骨扉及び隠し扉を、夫々引き戸で構成し、上記収納庫の後部に上記納骨扉及び隠し扉を開閉移動可能にガイドする溝状の敷居及び鴨居を形成した構成としている。開閉を確実にすることができる。
【００１３】
この場合、上記納骨扉をガイドする敷居及び鴨居の該納骨扉の後面に接する面を上記墓本体の前壁面で構成することができる。墓本体の前壁面を利用したので、それだけ、敷居及び鴨居の幅を小さくすることができ、その分、収納庫の収納空間のスペースを確保することができる。
【００１４】
また、必要に応じ、上記納骨扉の前面に、文字，図形，模様，絵画，写真の少なくとも何れかを有した装飾を施した構成としている。納骨扉は、納骨のための戸として特別の意味を持つことから、価値が上がり、また、隠し扉により、納骨扉の綺麗さが保持されることから、心情的にも好ましいものとなる。
【発明の効果】
【００１５】
本発明によれば、納骨扉及び隠し扉を閉めた状態で、収納庫の収納空間内において、ローソクに火を灯し、香炉で線香を焚くので、収納空間内に煙が充満しても、隠し扉の前面は汚れてしまうが、納骨扉は隠し扉に覆われて隠されているので、汚れてしまう事態を防止することができる。そのため、納骨するときに、隠し扉を開け、納骨扉が閉じた状態でその前面が現れた際、納骨扉は隠し扉に覆われて隠されて汚れが防止されていることから、綺麗さが保持されており、そのため、見栄えが良く、景観上好ましいものとなる。特に、納骨扉は、納骨のための戸として特別の意味を持つことから、納骨扉の前面に文字や絵などを彫刻やペイントにより装飾を施すことを行い、あるいは、納骨扉の材質を他と異ならせることなどを行うが、これらの綺麗さが保持されることから、心情的にも好ましいものとなる。また、投入通路の入口から遺骨を投入する際に納骨扉を開閉する際にも、納骨扉の綺麗さが保持されることから、心情的にも好ましいものとなる。
【図面の簡単な説明】
【００１６】
【図１】本発明の実施の形態に係る墓を示す分解斜視図である。
【図２】本発明の実施の形態に係る墓の収納庫の構造を示す分解斜視図である。
【図３】本発明の実施の形態に係る墓の収納庫を示す平面断面図である。
【図４】本発明の実施の形態に係る墓の要部を示す側面一部切欠き断面図である。
【図５】本発明の実施の形態に係る墓の納骨扉を示し、（ａ）は正面から見た斜視図、（ｂ）は裏面から見た斜視図である。
【図６】本発明の実施の形態に係る墓において、納骨扉の敷居及び鴨居の別の例を示し、（ａ）は平面断面図、（ｂ）は側面断面図である。
【図７】本発明の実施の形態に係る墓において、納骨扉の敷居及び鴨居のまた別の例を示し、（ａ）は平面断面図、（ｂ）は側面断面図である。
【図８】本発明の実施の形態に係る墓において、収納庫の隠し扉と納骨扉との間に空所を形成する別の構造例を示し、（ａ）は収納庫の側面断面図、（ｂ）は隠し扉を裏面から見た斜視図である。
【図９】従来の墓の例を示す側面一部切欠き断面図である。
【発明を実施するための形態】
【００１７】
以下、添付図面に基づいて、本発明の実施の形態に係る墓について詳細に説明する。
図１乃至図５には、本発明の実施の形態に係る墓Ｈを示している。この墓Ｈは、石製の墓本体１を備えている。墓本体１は、下台２と、下台２の上に設置される上台３と、上台３の上に設置されるさお４とを備えて構成されている。墓本体１の下台２の下側には、遺骨を収納する骨堂５が設けられている。また、墓本体１の下台２には、その前壁面６に開口する入口７を有し骨堂５に連通する遺骨の投入通路８が形成されている。
【００１８】
この墓本体１の下台２の前壁面６の前側には、石製の収納庫１０が設置されている。この収納庫１０は、台板１１と、台板１１の上の左右に設置される側壁部材１２と、側壁部材１２の上に設置される笠板１３とを備え、台板１１，側壁部材１２及び笠板１３とで囲繞される空間が、前側の前開口１４及び後側の後開口１５を有し物が収納される収納空間Ｅとして構成されている。そして、この収納庫１０は、後開口１５を下台２の投入通路８の入口７に対応させてこの下台２に付設されている。収納空間Ｅに収納される物としては、例えば、ローソク台，香炉，ローソク，線香，マッチ等が挙げられる。
【００１９】
また、収納庫１０においては、下台２及び笠板１３の前部が側壁部材１２から前側に突出しており、この収納庫１０の前部に、前開口１４を開閉する石製の表扉２０が設けられている。表扉２０は、一対の矩形板状の引き戸から構成されており、互いに対向する端面を当接させて前開口１４を閉じ、左右に互いに離間して移動させられて前開口１４を開ける。また、収納庫１０の前部において、下台２の上面には表扉２０の下縁部を開閉移動可能にガイドする溝状の敷居２１が形成され、笠板１３の下面には表扉２０の上縁部を開閉移動可能にガイドする溝状の鴨居２２が形成されている。また、各表扉２０の中央部には収納空間Ｅと外部とを連通する複数の矩形の貫通孔２３が形成されている。
【００２０】
更に、収納庫１０の後部には、後開口１５を開閉する納骨扉３０が設けられている。納骨扉３０は、一対の矩形板状の引き戸から構成されており、互いに対向する端面を当接させて後開口１５を閉じ、左右に互いに離間して移動させられて後開口１５を開ける。図５に示すように、一対の納骨扉３０の互いに対向する端面部３１，下縁部３２及び上縁部３３は、一般部３４よりも薄く形成されている。一般部３４は開閉時に下台２の前面に摺接可能な平面で形成されている。図２及び図３に示すように、側壁部材１２の後部には、納骨扉３０及び後述の隠し扉５０が臨み得る凹所３５が形成されている。この収納庫１０の後部において、下台２の上面には納骨扉３０の下縁部３２を開閉移動可能にガイドする溝状の敷居３６が形成され、笠板１３の下面には納骨扉３０の上縁３３を開閉移動可能にガイドする溝状の鴨居３７が形成されている。
【００２１】
また、納骨扉３０は、施錠具４０により施錠可能になっている。施錠具４０は、チェーン４１と、このチェーン４１をループ状にした状態で解除可能に連結してロックする周知の錠前４２とで構成されている。一対の納骨扉３０の互いに対向する各端面部には、同位にチェーン４１が引き通される通孔４３が形成されており、納骨扉３０を閉じた状態で、通孔４３にチェーン４１を引き通し、ループ状にして錠前４２で連結してロックするようにしている。ロック状態においては、チェーン４１の一部と錠前４２は納骨扉３０の前面に露出する。また、納骨扉３０の前面には、図５に示すように、文字，図形，模様，絵画，写真の少なくとも何れかを有した装飾４４が、彫刻やペイントにより施されている。
【００２２】
更にまた、納骨扉３０の前には、後開口１５を開閉し閉時に納骨扉３０を覆って隠す隠し扉５０が設けられている。隠し扉５０は、一対の矩形板状の引き戸から構成されており、互いに対向する端面を当接させて後開口１５を閉じ、左右に互いに離間して移動させられて後開口１５を開ける。この隠し扉５０と納骨扉３０との間には、施錠具４０の全部若しくは一部が収容可能な空所５１が設けられている。具体的には、空所５１は、隠し扉５０の後面と納骨扉３０の前面とを所要間隔離間させ、この隠し扉５０の後面と納骨扉３０の前面とで画成することにより形成されている。この場合、空所５１を、隠し扉５０の後面と納骨扉３０の前面とを所要間隔離間させて形成したので、空所５１を余裕を持って形成することができるとともに、隠し扉５０を納骨扉３０から離間させるだけでよいので、作製が容易になる。
【００２３】
また、収納庫１０の後部であって、納骨扉３０の敷居３６及び鴨居３７の前において、下台２の上面には隠し扉５０の下縁部を開閉移動可能にガイドする溝状の敷居５２が形成され、笠板１３の下面には隠し扉５０の上縁を開閉移動可能にガイドする溝状の鴨居５３が形成されている。尚、隠し扉５０の前面にも、文字，図形，模様，絵画，写真の少なくとも何れかを有した装飾を、彫刻やペイントにより施して良い。
【００２４】
従って、この墓Ｈにおいては、通常は、納骨扉３０を閉め、施錠具４０により施錠をしておく。施錠具４０により納骨扉３０を施錠できるので、遺骨を盗難やいたずらから防ぐことができる。また、隠し扉５０を閉め、収納庫１０の収納空間Ｅに、香炉，ローソクや線香等の物を収納し、表扉２０を閉めておく。墓参するときは、例えば、収納庫１０の上や花立に花や供物等を供えるとともに、収納庫１０の表扉２０を開け、収納空間Ｅから必要なものを取り出す。この場合、隠し扉５０が閉められているので、図３及び図４に示すように、施錠具４０は空所５１に収容されて隠されることになり、それだけ、見栄えが良く、景観上好ましいものとなる。それから、納骨扉３０及び隠し扉５０を閉めた状態で、収納空間Ｅ内でローソクに火を灯し、香炉で線香を焚き、表扉２０を開けたままあるいは閉めた状態にする。これにより、線香の煙が収納庫１０の収納空間Ｅから外部に流れていき、周囲に線香の煙が漂う中で供養を行うことができる。この場合、収納庫１０の収納空間Ｅ内において、ローソクに火を灯し、香炉で線香を焚くので、収納空間Ｅ内に煙が充満し、そのため、隠し扉５０の前面が汚れてしまうが、納骨扉３０は隠し扉５０に覆われて隠されているので、汚れてしまう事態が防止される。また、施錠具４０も隠し扉５０で覆われて隠されているので、この施錠具４０の汚れも防止することができる。
【００２５】
また、納骨するときは、収納庫１０の表扉２０を開けるとともに、図１に示すように、先ず、隠し扉５０を開ける。これにより、納骨扉３０が閉じた状態でその前面が現れる。この場合、納骨扉３０は隠し扉５０に覆われて隠されて汚れが防止されていることから、綺麗さが保持されており、そのため、見栄えが良く、景観上好ましいものとなる。特に、納骨扉３０は、納骨のための戸として特別の意味を持つことから、納骨扉３０の前面には、文字や絵などの装飾４４が彫刻やペイントにより施されているので、これらの綺麗さが保持されることから、心情的にも好ましいものとなる。次に、施錠具４０を解除して、納骨扉３０を開け、投入通路８の入口７を開けて収納空間Ｅを通してこの入口７から遺骨を投入し、投入通路８を通して骨堂５に遺骨を納め、その後、納骨扉３０を閉め、再び施錠具４０で施錠する。この納骨過程においても、納骨扉３０の綺麗さが保持されていることから、心情的にも好ましいものとなる。
【００２６】
図６には、納骨扉３０の敷居３６及び鴨居３７の別の例を示している。これは、納骨扉３０を平板状に形成し、この納骨扉３０をガイドする敷居３６及び鴨居３７の納骨扉３０の後面に接する面を、墓本体１の前壁面６で構成している。墓本体１の前壁面６を利用したので、それだけ、敷居３６及び鴨居３７の幅を小さくすることができ、その分、収納庫１０の収納空間Ｅのスペースを確保することができる。
【００２７】
図７には、納骨扉３０の敷居３６及び鴨居３７のまた別の例を示している。これは、図６と同様に、納骨扉３０を平板状に形成し、この納骨扉３０をガイドする敷居３６及び鴨居３７の納骨扉３０の後面に接する面を、墓本体１の前壁面６で構成するとともに、納骨扉３０をガイドする敷居３６及び鴨居３７の納骨扉３０の後面に接して保持する保持部６０を、遺骨の投入通路８内に突出させて形成している。敷居３６及び鴨居３７の構成部分を遺骨の投入通路８内に突出させる分、収納庫１０の収納空間Ｅのスペースを確保することができる。
【００２８】
また、図８には、空所５１を形成する別の構造例を示している。これは、納骨扉３０と隠し扉５０を面接触させ、両者共用の敷居６１及び鴨居６２を形成するとともに、空所５１を、隠し扉５０の後面側を切除した切除部６３で形成している。隠し扉５０の後面と納骨扉３０の前面との間隔を互いに接するように狭くしても、施錠具４０を収容できるようになる。また、隠し扉５０と納骨扉３０の間隔を狭くすることができる分、収納庫１０の収納空間Ｅのスペースを確保することができる。
【００２９】
尚、上記実施の形態において、表扉２０，納骨扉３０及び隠し扉５０を、夫々引き戸で構成したが、必ずしもこれに限定されるものではなく、全部若しくは何れか１つ以上を、ヒンジによる開き戸で構成してもよく、適宜変更して差支えない。
【符号の説明】
【００３０】
Ｈ  墓
１  墓本体
２  下台
５  骨堂
６  前壁面
７  入口
８  投入通路
１０  収納庫
１４  前開口
１５  後開口
Ｅ  収納空間
２０  表扉
３０  納骨扉
３６  敷居
３７  鴨居
４０  施錠具
４３  通孔
４４  装飾
５０  隠し扉
５１  空所
５２  敷居
５３  鴨居
６０  保持部
６１  敷居
６２  鴨居
６３  切除部
【要約】
【課題】  納骨や墓参の際に、収納庫内部を見ても、納骨扉の景観を損なわないようにする。
【解決手段】  石製の墓本体１を備え、墓本体１の下台２の下側に遺骨を収納する骨堂５を設け、下台２に、その前壁面６に開口する入口７を有し骨堂５に連通する遺骨の投入通路８を形成し、下台２の前壁面６に、前開口１４と投入通路８の入口７に対応した後開口１５とを有し物の収納空間Ｅが形成された石製の収納庫１０を付設し、収納庫１０の前部に前開口１４を開閉する表扉２０を設け、収納庫１０の後部に後開口１５を開閉する納骨扉３０を設け、納骨扉３０の前に後開口１５を開閉し閉時に納骨扉３０を覆って隠す隠し扉５０を設けた。また、納骨扉３０を施錠具４０により施錠可能にし、隠し扉５０と納骨扉３０との間に施錠具４０の全部若しくは一部が収容可能な空所５１を設けた。
【選択図】  図１【図１】
0005608303.tif 000002
【図２】
0005608303.tif 000003
【図３】
0005608303.tif 000004
【図４】
0005608303.tif 000005
【図５】
0005608303.tif 000006
【図６】
0005608303.tif 000007
【図７】
0005608303.tif 000008
【図８】
0005608303.tif 000009
【図９】
0005608303.tif 000010